(57)【要約】【課題】高変倍率で高画質を満足するコンパクトなズームレンズ系を備えた撮像レンズ装置を提供する。【解決手段】撮像レンズ装置を構成しているズームレンズ系は、物体側から順に、負パワーの第１群（Ｇｒ１），正パワーの第２群（Ｇｒ２），正パワーの第３群（Ｇｒ３），正パワーの第４群（Ｇｒ４），負パワーの第５群（Ｇｒ５），正パワーの第６群（Ｇｒ６）から成る。広角端（Ｗ）から望遠端（Ｔ）までのズーミングに際し、少なくとも第１群（Ｇｒ１）が可動で、各群の間隔が変化する。第１群（Ｇｒ１）が最も物体側に負レンズを有し、条件式：−０．５＜φ２／φ１＜−０．０１｛φ１：第１群（Ｇｒ１）のパワー、φ２：第２群（Ｇｒ２）のパワー｝を満足する。【選択図】      図１
2004226511.tif 000002
【特許請求の範囲】
【請求項１】
複数の群から成り群間隔を変えることにより変倍を行うズームレンズ系と、そのズームレンズ系により形成された光学像を電気的な信号に変換する撮像素子と、を備えた撮像レンズ装置であって、
前記ズームレンズ系が、物体側から順に、負のパワーを有する第１群と、正のパワーを有する第２群と、正のパワーを有する第３群と、負のパワーを有する第４群と、正のパワーを有する第５群と、を少なくとも有し、広角端から望遠端までのズーミングに際し、少なくとも前記第１群が可動で、各群の間隔が変化し、前記第１群が最も物体側に負レンズを少なくとも有し、以下の条件式（１）を満足することを特徴とする撮像レンズ装置；
−０．５＜φ２／φ１＜−０．０１    …（１）
ただし、
φ１：第１群のパワー、
φ２：第２群のパワー、
である。
【請求項２】
以下の条件式（２）を満足することを特徴とする請求項１記載の撮像レンズ装置；
−１０＜ｆ１２／ｆＷ＜−１  …（２）
ただし、
ｆ１２：広角端での第１群と第２群との合成焦点距離、
ｆＷ：広角端でのズームレンズ系全体の焦点距離、
である。
【請求項３】
複数の群から成り群間隔を変えることにより変倍を行うズームレンズ系と、そのズームレンズ系により形成された光学像を電気的な信号に変換する撮像素子と、を備えた撮像レンズ装置であって、
前記ズームレンズ系が、物体側から順に、負のパワーを有する第１群と、正のパワーを有する第２群と、正のパワーを有する第３群と、負のパワーを有する第４群と、正のパワーを有する第５群と、正のパワーを有する第６群とを有し、広角端から望遠端までのズーミングに際し、少なくとも前記第１群が可動で、各群の間隔が変化することを特徴とする撮像レンズ装置。
【発明の詳細な説明】
【０００１】
【発明の属する技術分野】
本発明は撮像レンズ装置に関するものであり、特に被写体の映像を光学系により光学的に取り込んで撮像素子により電気的な信号として出力する撮像レンズ装置｛例えば、デジタルスチルカメラ；デジタルビデオカメラ；デジタルビデオユニット，パーソナルコンピュータ，モバイルコンピュータ，携帯電話，携帯情報端末（ＰＤＡ：Ｐｅｒｓｏｎａｌ  Ｄｉｇｉｔａｌ  Ａｓｓｉｓｔａｎｔ）等に内蔵又は外付けされるカメラの主たる構成要素｝、なかでも小型で高変倍率のズームレンズ系を備えた撮像レンズ装置に関するものである。
【０００２】
【従来の技術】
近年、パーソナルコンピュータ等の普及に伴い、手軽に画像情報をデジタル機器に取り込むことの可能なデジタルスチルカメラやデジタルビデオカメラ等（以下単に「デジタルカメラ」という。）が個人ユーザーレベルで普及しつつある。そして、デジタルカメラは今後も画像情報の入力機器として益々普及することが予想される。このようなデジタルカメラの画質は、一般にＣＣＤ（Ｃｈａｒｇｅ  Ｃｏｕｐｌｅｄ  Ｄｅｖｉｃｅ）等の固体撮像素子の画素数で決定される。現在、一般向けのデジタルカメラは１００万画素を超える高画素化がなされており、画質面で銀塩フィルム用カメラに近づきつつある。このため、撮影レンズ系には撮像素子の高画素化に対応した高い光学性能が求められている。また、一般向けのデジタルカメラにおいても画像の変倍、特に画像劣化の少ない光学変倍が望まれている。しかし、撮影レンズ系において高性能化と高変倍率化とを両立させることは難しく、しかも一般向けデジタルカメラ用のズームレンズ系にはコンパクト化も要求される。これらの要求に応えるため従来より様々な提案がなされており（例えば、特許文献１〜４参照。）、従来のレンズシャッターカメラ用ズームレンズ系をデジタルカメラ用として使用することも一つの方法である。
【０００３】
【特許文献１】
特開平７−３０６３６２号公報
【特許文献２】
特開平８−２４８３１４号公報
【特許文献３】
特開平９−２３０２４２号公報
【特許文献４】
特開平１０−２６８１９３号公報
【０００４】
【発明が解決しようとする課題】
しかし、従来より知られているズームレンズ系では、上述した複数の要求に同時に応えることは困難である。例えば、銀塩フィルム用のレンズシャッターカメラでは、使用されるズームレンズ系の射出瞳位置が像面の近くにあるため、それをデジタルカメラに用いると、固体撮像素子の前面に設けられているマイクロレンズの集光性能を十分に満足させることができず、画像中央部と画像周辺部とで画像の明るさが極端に変化してしまう。そして、従来より提案されているデジタルカメラ用のズームレンズ系では、その射出瞳位置を像面から離そうとすると、どうしてもズームレンズ系全体の大型化が避けられない。また、変倍比５倍以上の一般的な高変倍率ズームの場合、第１群に正のパワーを有するズームタイプ（いわゆるプラスリード）が採用されることが多いが、プラスリードを採用すると、全長をコンパクトにすることはできるものの、前玉径の大型化を招いてしまう。第１群に負のパワーを有するズームタイプ（いわゆるマイナスリード）を採用すると（特許文献１〜４等）、前玉径を小さくすることはできるものの、広角端での全長の大型化を招いてしまう。
【０００５】
本発明はこのような状況に鑑みてなされたものであって、その目的は、高変倍率で高画質を満足するコンパクトなズームレンズ系を備えた撮像レンズ装置を提供することにある。
【０００６】
【課題を解決するための手段】
上記目的を達成するために、第１の発明の撮像レンズ装置は、複数の群から成り群間隔を変えることにより変倍を行うズームレンズ系と、そのズームレンズ系により形成された光学像を電気的な信号に変換する撮像素子と、を備えた撮像レンズ装置であって、前記ズームレンズ系が、物体側から順に、負のパワーを有する第１群と、正のパワーを有する第２群と、正のパワーを有する第３群と、負のパワーを有する第４群と、正のパワーを有する第５群と、を少なくとも有し、広角端から望遠端までのズーミングに際し、少なくとも前記第１群が可動で、各群の間隔が変化し、前記第１群が最も物体側に負レンズを少なくとも有し、以下の条件式（１）を満足することを特徴とする。
−０．５＜φ２／φ１＜−０．０１    …（１）
ただし、
φ１：第１群のパワー、
φ２：第２群のパワー、
である。
【０００７】
第２の発明の撮像レンズ装置は、上記第１の発明の構成において、以下の条件式（２）を満足することを特徴とする。
−１０＜ｆ１２／ｆＷ＜−１  …（２）
ただし、
ｆ１２：広角端での第１群と第２群との合成焦点距離、
ｆＷ：広角端でのズームレンズ系全体の焦点距離、
である。
【０００８】
第３の発明の撮像レンズ装置は、複数の群から成り群間隔を変えることにより変倍を行うズームレンズ系と、そのズームレンズ系により形成された光学像を電気的な信号に変換する撮像素子と、を備えた撮像レンズ装置であって、前記ズームレンズ系が、物体側から順に、負のパワーを有する第１群と、正のパワーを有する第２群と、正のパワーを有する第３群と、負のパワーを有する第４群と、正のパワーを有する第５群と、正のパワーを有する第６群とを有し、広角端から望遠端までのズーミングに際し、少なくとも前記第１群が可動で、各群の間隔が変化することを特徴とする。
【０００９】
【発明の実施の形態】
以下、本発明を実施した撮像レンズ装置を、図面を参照しつつ説明する。被写体の映像を光学的に取り込んで電気的な信号として出力する撮像レンズ装置は、被写体の静止画撮影や動画撮影に用いられるカメラ｛例えば、デジタルカメラ；ビデオカメラ；デジタルビデオユニット，パーソナルコンピュータ，モバイルコンピュータ，携帯電話，携帯情報端末（ＰＤＡ），これらの周辺機器（マウス，スキャナー，プリンター，その他のデジタル入出力機器）等に内蔵又は外付けされるカメラ｝の主たる構成要素である。その撮像レンズ装置は、例えば図９に示すように、物体（被写体）側から順に、物体の光学像を形成する撮影レンズ系（ＴＬ）と、光学的ローパスフィルター等に相当する平行平面板（ＰＬ）と、撮影レンズ系（ＴＬ）により形成された光学像を電気的な信号に変換する撮像素子（ＳＲ）と、で構成される。
【００１０】
後述する各実施の形態では、複数の群から成るズームレンズ系が撮影レンズ系（ＴＬ）として用いられ、複数の群が光軸（ＡＸ）に沿って移動し、各群の間隔を変化させることにより変倍（すなわちズーミング）が行われる。撮像素子（ＳＲ）としては、例えば複数の画素から成るＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサー等の固体撮像素子が用いられ、ズームレンズ系により形成された光学像が撮像素子（ＳＲ）により電気的な信号に変換される。
【００１１】
またズームレンズ系で形成されるべき光学像は、撮像素子（ＳＲ）の画素ピッチにより決定される所定の遮断周波数特性を有する光学的ローパスフィルター｛平行平面板（ＰＬ）から成る。｝を通過することにより、電気的な信号に変換される際に発生するいわゆる折り返しノイズが最小化されるように、空間周波数特性が調整される。光学的ローパスフィルターとしては、例えば所定の結晶軸方向が調整された水晶等を材料とする複屈折型ローパスフィルターや、必要とされる光学的な遮断周波数特性を回折効果により達成する位相型ローパスフィルター等が適用可能である。撮像素子（ＳＲ）で生成した信号は、必要に応じて所定のデジタル画像処理や画像圧縮処理等が施されてデジタル映像信号としてメモリー（半導体メモリー，光ディスク等）に記録されたり、場合によってはケーブルを介したり赤外線信号に変換されたりして他の機器に伝送される。
【００１２】
なお、図９に示す撮像レンズ装置では、撮影レンズ系（ＴＬ）によって拡大側（共役長の長い側）の被写体から縮小側（共役長の短い側）の撮像素子（ＳＲ）への縮小投影が行われるが、撮像素子（ＳＲ）の代わりに２次元画像を表示する表示素子（例えば液晶表示素子）を用い、撮影レンズ系（ＴＬ）を投影レンズ系として使用すれば、縮小側の画像表示面から拡大側のスクリーン面への拡大投影を行う画像投影装置を構成することができる。つまり、以下に説明する各実施の形態のズームレンズ系は、撮影レンズ系（ＴＬ）としての使用に限らず、投影レンズ系としても好適に使用することが可能である。
【００１３】
図１〜図４は、第１〜第４の実施の形態を構成するズームレンズ系にそれぞれ対応するレンズ構成図であり、広角端（Ｗ）でのレンズ配置を光学断面で示している。各レンズ構成図中、矢印ｍｊ（ｊ＝１，２，．．．）は広角端（Ｗ）から望遠端（Ｔ）へのズーミングにおける第ｊ群（Ｇｒｊ）の移動をそれぞれ模式的に示している。ただし、可動群は第１群（Ｇｒ１）〜第５群（Ｇｒ５）であり、固定群である第６群（Ｇｒ６）は平行平面板（ＰＬ）と共にズーム位置固定になっている。また、各レンズ構成図中、ｒｉ（ｉ＝１，２，３，．．．）が付された面は物体側から数えてｉ番目の面（ｒｉに＊印が付された面は非球面）であり、ｄｉ（ｉ＝１，２，３，．．．）が付された軸上面間隔は、物体側から数えてｉ番目の軸上面間隔のうち、ズーミングにおいて変化する可変間隔である。
【００１４】
各実施の形態のズームレンズ系はいずれも、物体側から順に、負のパワーを有する第１群（Ｇｒ１）と、正のパワーを有する第２群（Ｇｒ２）と、正のパワーを有する第３群（Ｇｒ３）と、負のパワーを有する第４群（Ｇｒ４）と、正のパワーを有する第５群（Ｇｒ５）と、正のパワーを有する第６群（Ｇｒ６）と、から成り（パワー：焦点距離の逆数で定義される量）、第３群（Ｇｒ３）又は第４群（Ｇｒ４）がその像側に絞り（ＳＴ）を含み、第１群（Ｇｒ１）〜第５群（Ｇｒ５）を可動群として各群間隔を変化させることによりズーミングを行う、変倍比５倍程度のズームレンズである。そして、ＣＣＤ等の撮像素子（ＳＲ）を備えたカメラ（例えばデジタルカメラ）に用いられるズームレンズ系として、その像側には光学的ローパスフィルター，赤外カットフィルター等の光学フィルターや撮像素子（ＳＲ）のカバーガラス等に相当する１枚又は２枚のガラス製平行平面板（ＰＬ）が配置されている。各実施の形態のレンズ構成を更に詳しく以下に説明する。
【００１５】
《第１の実施の形態（図１）》
第１の実施の形態のズームレンズ系は負・正・正・負・正・正の６群ズームレンズであり、各群は物体側から順に以下のように構成されている。第１群（Ｇｒ１）は、両凹の負レンズ（物体側面が非球面）１枚で構成されている。第２群（Ｇｒ２）は、像側に凸の負メニスカスレンズ（像側面が非球面）と、両凸の正レンズと、で構成されている。第３群（Ｇｒ３）は、物体側に凸の正メニスカスレンズ２枚で構成されている。第４群（Ｇｒ４）は、両凹の負レンズ（像側面が非球面）と、両凸の正レンズ（像側面が非球面）と、絞り（ＳＴ）と、で構成されている。第５群（Ｇｒ５）は、両凸の正レンズ１枚で構成されている。第６群（Ｇｒ６）は、像側に凸の正メニスカスレンズ（両面が非球面）１枚で構成されている。
【００１６】
《第２の実施の形態（図２）》
第２の実施の形態のズームレンズ系は負・正・正・負・正・正の６群ズームレンズであり、各群は物体側から順に以下のように構成されている。第１群（Ｇｒ１）は、両凹の負レンズ（物体側面が非球面）１枚で構成されている。第２群（Ｇｒ２）は、両凹の負レンズ（像側面が非球面）と、物体側に凸の正メニスカスレンズと、で構成されている。第３群（Ｇｒ３）は、物体側に凸の正メニスカスレンズと、両凸の正レンズと、で構成されている。第４群（Ｇｒ４）は、両凹の負レンズ（像側面が非球面）と、両凸の正レンズと、絞り（ＳＴ）と、で構成されている。第５群（Ｇｒ５）は、物体側に凸の正メニスカスレンズと、像側に凸の正メニスカスレンズと、で構成されている。第６群（Ｇｒ６）は、像側に凸の正メニスカスレンズ（両面が非球面）１枚で構成されている。
【００１７】
《第３の実施の形態（図３）》
第３の実施の形態のズームレンズ系は負・正・正・負・正・正の６群ズームレンズであり、各群は物体側から順に以下のように構成されている。第１群（Ｇｒ１）は、両凹の負レンズ（物体側面が非球面）１枚で構成されている。第２群（Ｇｒ２）は、像側に凸の負メニスカスレンズ（像側面が非球面）と、両凸の正レンズと、で構成されている。第３群（Ｇｒ３）は、物体側に凸の正メニスカスレンズ２枚で構成されている。第４群（Ｇｒ４）は、両凹の負レンズ（像側面が非球面）と、両凸の正レンズと、絞り（ＳＴ）と、で構成されている。第５群（Ｇｒ５）は、物体側に凸の正メニスカスレンズと、像側に凸の正メニスカスレンズと、で構成されている。第６群（Ｇｒ６）は、像側に凸の正メニスカスレンズ（両面が非球面）１枚で構成されている。
【００１８】
《第４の実施の形態（図４）》
第４の実施の形態のズームレンズ系は負・正・正・負・正・正の６群ズームレンズであり、各群は物体側から順に以下のように構成されている。第１群（Ｇｒ１）は、物体側に凸の負メニスカスレンズ２枚と、物体側に凸の正メニスカスレンズ（像側面が非球面）と、で構成されている。第２群（Ｇｒ２）は、両凸の正レンズ及び両凹の負レンズから成る接合レンズで構成されている。第３群（Ｇｒ３）は、物体側に凸の負メニスカスレンズ及び両凸の正レンズから成る接合レンズと、絞り（ＳＴ）と、で構成されている。第４群（Ｇｒ４）は、両凹の負レンズ及び物体側に凸の正メニスカスレンズから成る接合レンズで構成されている。第５群（Ｇｒ５）は、両凸の正レンズ（像側面が非球面）と、物体側に凸の負メニスカスレンズ（像側面が非球面）と、で構成されている。第６群（Ｇｒ６）は、物体側に凸の正メニスカスレンズ（両面が非球面）１枚で構成されている。
【００１９】
各実施の形態のズームレンズ系は、物体側から順に負・正・正・負・正・正のズーム群を備え、広角端（Ｗ）から望遠端（Ｔ）までのズーミングに際し、少なくとも第１群（Ｇｒ１）が可動で、各群の間隔が変化することに一つの特徴がある。第１群（Ｇｒ１）を可動にすることにより、前玉径を小さくしながら収差を補正することが可能になる。なかでも歪曲収差の効果的な補正（特に広角での歪曲収差の補正）が可能になる。したがって、ズームレンズ系の高性能化とともに高変倍率化及びコンパクト化を達成することができ、高画質の画像情報を得ることができる。しかも、射出瞳位置を像面から十分に離して、撮像素子（ＳＲ）の前面に設けられているマイクロレンズの集光性能を十分に満足させることができるため、ズームレンズ系全体の小型化とともに画像の明るさの均一化が可能となる。
【００２０】
また、物体側から順に負・正・正・負・正のズーム群を少なくとも有し、少なくとも第１群（Ｇｒ１）を可動群とするズームレンズ系においては、各実施の形態のように第１群（Ｇｒ１）が最も物体側に負レンズを有することが望ましい。ズーム移動する第１群（Ｇｒ１）が最も物体側に負レンズを有する構成とすることにより、前玉径を小さくしながら収差補正をより効果的に行うことが可能になる。なかでも歪曲収差の補正（特に広角での歪曲収差の補正）を効果的に行うことが可能になる。したがって、ズームレンズ系の高性能化とともに高変倍率化及びコンパクト化を達成することができ、高画質の画像情報を得ることができる。第１群（Ｇｒ１）が最も物体側に有する負レンズとして、第１〜第３の実施の形態のように両凹の負レンズを用いることがコンパクト化を図る上で好ましく、第４の実施の形態のように物体側に凸の負メニスカスレンズを用いることが諸収差（特に広角での歪曲収差）を良好に補正する上で好ましい。さらに、第１〜第３の実施の形態のように、最も物体側に非球面を配置すれば、諸収差（特に広角での歪曲収差）を補正する上でより一層好ましいズームレンズ系を実現することができる。
【００２１】
上記のように物体側から順に負・正・正・負・正のズーム群を少なくとも有するとともに、少なくとも第１群（Ｇｒ１）を可動群とするズームレンズ系においては、以下の条件式（１）を満足することが望ましい。
−０．５＜φ２／φ１＜−０．０１    …（１）
ただし、
φ１：第１群（Ｇｒ１）のパワー、
φ２：第２群（Ｇｒ２）のパワー、
である。
【００２２】
条件式（１）は、第１群（Ｇｒ１）のパワーに対する第２群（Ｇｒ２）のパワーの比に関して、満足することが望ましい条件範囲を規定している。条件式（１）を満たすようにパワー比を適切に設定することにより、良好な性能を有しかつコンパクトなズームレンズ系を実現することが可能となる。条件式（１）の上限を越えると、第２群（Ｇｒ２）の正のパワーが弱くなりすぎるため、レトロフォーカス度が大きくなり、それに続く第３群（Ｇｒ３）以降で、収斂作用を大きくしなければならなくなる。それにより収差劣化も大きくなるため好ましくない。逆に条件式（１）の下限を越えると、第２群（Ｇｒ２）の正のパワーが強くなりすぎるため、第２群（Ｇｒ２）で発生する収差（特に広角側での諸収差）が大きくなり、それを補正するためにレンズ枚数を増やす必要が生じてしまい、コンパクト化という点で好ましくない。
【００２３】
以下の条件式（１ａ）を満足することが望ましく、条件式（１ｂ）を満足することが更に望ましい。条件式（１ａ），（１ｂ）は、上記条件式（１）が規定している条件範囲のなかでも、上記観点等からより一層好ましい条件範囲を規定している。
−０．２＜φ２／φ１＜−０．０１    …（１ａ）
−０．１＜φ２／φ１＜−０．０１    …（１ｂ）
【００２４】
また、第１群（Ｇｒ１）と第２群（Ｇｒ２）との合成焦点距離について、以下の条件式（２）を満足することが望ましい。
−１０＜ｆ１２／ｆＷ＜−１  …（２）
ただし、
ｆ１２：広角端（Ｗ）での第１群（Ｇｒ１）と第２群（Ｇｒ２）との合成焦点距離、
ｆＷ：広角端（Ｗ）でのズームレンズ系全体の焦点距離、
である。
【００２５】
条件式（２）は、第１群（Ｇｒ１）と第２群（Ｇｒ２）との合成焦点距離に関して、満足することが望ましい条件範囲を規定している。条件式（２）の上限を越えると、第１群（Ｇｒ１）と第２群（Ｇｒ２）との合成焦点距離の絶対値が小さくなりすぎるため、歪曲収差（特に広角側での負の歪曲収差）が著しくなり、良好な光学性能を確保することが困難になる。逆に条件式（２）の下限を越えると、第１群（Ｇｒ１）と第２群（Ｇｒ２）との合成焦点距離の絶対値が大きくなりすぎるため、第１群（Ｇｒ１）に入射する光線高さを低くすることができず、第１群（Ｇｒ１）のレンズ径の増大を招いてしまい、コンパクト化という点で好ましくない。
【００２６】
以下の条件式（２ａ）を満足することが望ましく、条件式（２ｂ）を満足することが更に望ましい。条件式（２ａ），（２ｂ）は、上記条件式（２）が規定している条件範囲のなかでも、上記観点等からより一層好ましい条件範囲を規定している。
−５＜ｆ１２／ｆＷ＜−１  …（２ａ）
−３＜ｆ１２／ｆＷ＜−１  …（２ｂ）
【００２７】
なお、各実施の形態を構成しているズームレンズ系には、入射光線を屈折作用により偏向させる屈折型レンズ（つまり、異なる屈折率を有する媒質同士の界面で偏向が行われるタイプのレンズ）が用いられているが、使用可能なレンズはこれに限らない。例えば、回折作用により入射光線を偏向させる回折型レンズ，回折作用と屈折作用との組み合わせで入射光線を偏向させる屈折・回折ハイブリッド型レンズ，入射光線を媒質内の屈折率分布により偏向させる屈折率分布型レンズ等を用いてもよい。また、絞り（ＳＴ）のほかに不要光をカットするための光束規制板等を必要に応じて配置してもよく、プリズム類（例えば直角プリズム），ミラー類（例えば平面ミラー）等を光路中に配置することにより、その光学的なパワーを有しない面（例えば、反射面，屈折面，回折面）でズームレンズ系の前，後又は途中で光路を折り曲げてもよい｛例えば、光軸（ＡＸ）を約９０度折り曲げるようにして光束を反射させる。｝。その折り曲げ位置は必要に応じて設定すればよく、光路の適正な折り曲げにより、ズームレンズ系が搭載されるデジタル入力機器（デジタルカメラ等）の見かけ上の薄型化やコンパクト化を達成することが可能である。
【００２８】
【実施例】
以下、本発明を実施した撮像レンズ装置に用いられるズームレンズ系の構成等を、コンストラクションデータ等を挙げて更に具体的に説明する。ここで挙げる実施例１〜４は、前述した第１〜第４の実施の形態にそれぞれ対応しており、第１〜第４の実施の形態を表すレンズ構成図（図１〜図４）は、対応する実施例１〜４のレンズ構成をそれぞれ示している。
【００２９】
各実施例のコンストラクションデータにおいて、ｒｉ（ｉ＝１，２，３，．．．）は物体側から数えてｉ番目の面の曲率半径（ｍｍ）、ｄｉ（ｉ＝１，２，３，．．．）は物体側から数えてｉ番目の軸上面間隔（ｍｍ）を示しており、Ｎｉ（ｉ＝１，２，３，．．．），νｉ（ｉ＝１，２，３，．．．）は物体側から数えてｉ番目の光学要素のｄ線に対する屈折率（Ｎｄ），アッベ数（νｄ）を示している。また、コンストラクションデータ中、ズーミングにおいて変化する軸上面間隔は、広角端（短焦点距離端，Ｗ）〜ミドル（中間焦点距離状態，Ｍ）〜望遠端（長焦点距離端，Ｔ）での可変空気間隔である。各焦点距離状態（Ｗ），（Ｍ），（Ｔ）に対応する全系の焦点距離（ｆ，ｍｍ）及びＦナンバー（ＦＮＯ）を他のデータとあわせて示し、条件式対応値を表１に示す。
【００３０】
曲率半径ｒｉに＊印が付された面は、非球面（非球面形状の屈折光学面、非球面と等価な屈折作用を有する面等）であり、非球面の面形状を表わす以下の式（ＡＳ）で定義される。各実施例の非球面データを他のデータとあわせて示す（ただしＡｉ＝０の場合は省略する。）。
Ｘ（Ｈ）＝（Ｃ０・Ｈ２）／｛１＋√（１−ε・Ｃ０２・Ｈ２）｝＋Σ（Ａｉ・Ｈｉ）    …（ＡＳ）
ただし、式（ＡＳ）中、
Ｘ（Ｈ）：高さＨの位置での光軸（ＡＸ）方向の変位量（面頂点基準）、
Ｈ：光軸（ＡＸ）に対して垂直な方向の高さ、
Ｃ０：近軸曲率（＝１／曲率半径）、
ε：２次曲面パラメータ、
Ａｉ：ｉ次の非球面係数、
である。
【００３１】
図５〜図８は実施例１〜実施例４にそれぞれ対応する収差図であり、（Ｗ）は広角端，（Ｍ）はミドル，（Ｔ）は望遠端における諸収差｛左から順に、球面収差等，非点収差，歪曲収差である。Ｙ’：最大像高（ｍｍ）｝を示している。球面収差図において、実線（ｄ）はｄ線、一点鎖線（ｇ）はｇ線に対する各球面収差（ｍｍ）を表しており、破線（ＳＣ）は正弦条件不満足量（ｍｍ）を表している。非点収差図において、破線（ＤＭ）はメリディオナル面、実線（ＤＳ）はサジタル面でのｄ線に対する各非点収差（ｍｍ）を表わしている。また、歪曲収差図において実線はｄ線に対する歪曲（％）を表している。
【００３２】
2004226511.tif 000003
2004226511.tif 000004
【００３３】
［第１面（ｒ１）の非球面データ］
ε＝１．００００，Ａ４＝  １．６９５１６×１０−４，Ａ６＝−９．２２２１５×１０−８，Ａ８＝−１．７２０９２×１０−８，Ａ１０＝  ２．２８９８７×１０−１０，Ａ１２＝−１．０３１２９×１０−１２
［第４面（ｒ４）の非球面データ］
ε＝１．００００，Ａ４＝  ６．４７４９９×１０−５，Ａ６＝  ３．８１０５０×１０−７，Ａ８＝−１．１３２２５×１０−８，Ａ１０＝  ７．０９２９９×１０−１１
［第１２面（ｒ１２）の非球面データ］
ε＝１．００００，Ａ４＝  ９．２９２８２×１０−５，Ａ６＝−１．０６０４６×１０−６，Ａ８＝  ９．８７９８９×１０−９，Ａ１０＝−１．９５１４７×１０−９，Ａ１２＝  ３．２２８４４×１０−１１
［第１４面（ｒ１４）の非球面データ］
ε＝１．００００，Ａ４＝  ９．６１０４６×１０−６，Ａ６＝  ４．８４６８６×１０−７，Ａ８＝  ３．４９９０１×１０−８，Ａ１０＝  ８．４９９４１×１０−１０
［第１８面（ｒ１８）の非球面データ］
ε＝１．００００，Ａ４＝−７．８７５０５×１０−４，Ａ６＝−２．１３２９２×１０−４，Ａ８＝  ２．０２０８３×１０−５，Ａ１０＝−１．６０５４３×１０−６，Ａ１２＝  ５．１１８８６×１０−８
［第１９面（ｒ１９）の非球面データ］
ε＝１．００００，Ａ４＝  ７．３１４２５×１０−４，Ａ６＝−２．５６００８×１０−４，Ａ８＝  １．８７６６９×１０−５，Ａ１０＝−９．６９２９５×１０−７，Ａ１２＝  ２．３２７２４×１０−８
【００３４】
2004226511.tif 000005
2004226511.tif 000006
2004226511.tif 000007
【００３５】
［第１面（ｒ１）の非球面データ］
ε＝１．００００，Ａ４＝  １．９５７３６×１０−４，Ａ６＝−５．１９６４６×１０−７，Ａ８＝−１．２４９４８×１０−８，Ａ１０＝  ２．０８８６３×１０−１０，Ａ１２＝−１．００６８６×１０−１２
［第４面（ｒ４）の非球面データ］
ε＝１．００００，Ａ４＝  ６．４１２１５×１０−５，Ａ６＝  １．５２６２４×１０−７，Ａ８＝−７．２６１９３×１０−９，Ａ１０＝−３．４４５３７×１０−１２
［第１２面（ｒ１２）の非球面データ］
ε＝１．００００，Ａ４＝  ７．１９１９６×１０−５，Ａ６＝−５．５９４４７×１０−７，Ａ８＝  ３．５０６５１×１０−８，Ａ１０＝−１．０８３１８×１０−９，Ａ１２＝  １．９９７４４×１０−１１
［第２０面（ｒ２０）の非球面データ］
ε＝１．００００，Ａ４＝−１．０７３５２×１０−３，Ａ６＝−２．４７０１９×１０−４，Ａ８＝  ２．８０８５６×１０−５，Ａ１０＝−２．１６６６４×１０−６，Ａ１２＝  ６．６６３０６×１０−８
［第２１面（ｒ２１）の非球面データ］
ε＝１．００００，Ａ４＝  １．０１６８５×１０−４，Ａ６＝−２．０５１４９×１０−４，Ａ８＝  １．７０６５６×１０−５，Ａ１０＝−８．９２４０８×１０−７，Ａ１２＝  ２．０６８１５×１０−８
【００３６】
2004226511.tif 000008
2004226511.tif 000009
2004226511.tif 000010
【００３７】
［第１面（ｒ１）の非球面データ］
ε＝１．００００，Ａ４＝  ２．１０３４８×１０−４，Ａ６＝−７．２８４７４×１０−７，Ａ８＝−１．２３５７９×１０−８，Ａ１０＝  ２．１７２０５×１０−１０，Ａ１２＝−１．０３６３８×１０−１２
［第４面（ｒ４）の非球面データ］
ε＝１．００００，Ａ４＝  ６．５４７６２×１０−５，Ａ６＝  ４．９３３８５×１０−８，Ａ８＝−１．４０４９４×１０−８，Ａ１０＝  １．１４３１０×１０−１０
［第１２面（ｒ１２）の非球面データ］
ε＝１．００００，Ａ４＝  ７．３０８０５×１０−５，Ａ６＝−４．８１７８７×１０−７，Ａ８＝  ３．４６１２８×１０−８，Ａ１０＝−１．１２８０６×１０−９，Ａ１２＝  １．８２６１６×１０−１１
［第２０面（ｒ２０）の非球面データ］
ε＝１．００００，Ａ４＝−８．９４５７２×１０−４，Ａ６＝−２．５１５９３×１０−４，Ａ８＝  ２．７９１０２×１０−５，Ａ１０＝−２．１８１５０×１０−６，Ａ１２＝  ６．６６３０６×１０−８
［第２１面（ｒ２１）の非球面データ］
ε＝１．００００，Ａ４＝  １．６６２６２×１０−４，Ａ６＝−２．００６９５×１０−４，Ａ８＝  １．６９４３４×１０−５，Ａ１０＝−９．０７２９７×１０−７，Ａ１２＝  ２．０６８１５×１０−８
【００３８】
2004226511.tif 000011
2004226511.tif 000012
2004226511.tif 000013
【００３９】
［第６面（ｒ６）の非球面データ］
ε＝１．００００，Ａ４＝−１．３２９７５×１０−４，Ａ６＝−３．５８４３９×１０−７，Ａ８＝  １．６２７９７×１０−９，Ａ１０＝−２．０１３３６×１０−９，Ａ１２＝  ５．９０３８５×１０−１１
［第２０面（ｒ２０）の非球面データ］
ε＝１．００００，Ａ４＝  ２．６３７９１×１０−４，Ａ６＝−１．５８６４２×１０−６，Ａ８＝  ２．６５３８１×１０−８，Ａ１０＝  ３．７６７７３×１０−１０，Ａ１２＝−５．１６２５６×１０−１１
［第２２面（ｒ２２）の非球面データ］
ε＝１．００００，Ａ４＝  １．８３１９３×１０−５，Ａ６＝  １．６３８６６×１０−６，Ａ８＝  ４．４６７０２×１０−８，Ａ１０＝−１．００９３５×１０−９，Ａ１２＝  ２．７６４１６×１０−１９
［第２３面（ｒ２３）の非球面データ］
ε＝１．００００，Ａ４＝−１．５０１８０×１０−３，Ａ６＝−５．６２３６５×１０−５，Ａ８＝−１．５４６１０×１０−６，Ａ１０＝  ４．７１７２５×１０−８
［第２４面（ｒ２４）の非球面データ］
ε＝１．００００，Ａ４＝−１．５０３４８×１０−３，Ａ６＝−５．７９３３１×１０−５，Ａ８＝−１．６４９６１×１０−６，Ａ１０＝  １．０３５０６×１０−７
【００４０】
【表１】
2004226511.tif 000014
【００４１】
【発明の効果】
以上説明したように本発明によれば、物体側から順に負正正負正を有するズームレンズ系において少なくとも第１群がズーム移動可能に構成されており、第１群が最も物体側に負レンズを少なくとも有するとともに、前記条件式（１）を満たした構成になっているため、高変倍率で高画質を満足するコンパクトなズームレンズ系を備えた撮像レンズ装置を実現することができる。また、物体側から順に負正正負正正を有するズームレンズ系において少なくとも第１群がズーム移動可能に構成されているため、高変倍率で高画質を満足し、かつ、射出瞳位置を像面から十分に離したコンパクトなズームレンズ系を備えた撮像レンズ装置を実現することができる。そして本発明に係る撮像レンズ装置を、デジタルカメラ；ビデオカメラ；デジタルビデオユニット，パーソナルコンピュータ，モバイルコンピュータ，携帯電話，携帯情報端末（ＰＤＡ），これらの周辺機器（マウス，スキャナー，プリンター，その他のデジタル入出力機器）等に内蔵又は外付けされるカメラ等に用いれば、これらの機器のコンパクト化，低コスト化，高変倍率化及び高性能化に寄与することができる。
【図面の簡単な説明】
【図１】第１の実施の形態（実施例１）のレンズ構成図。
【図２】第２の実施の形態（実施例２）のレンズ構成図。
【図３】第３の実施の形態（実施例３）のレンズ構成図。
【図４】第４の実施の形態（実施例４）のレンズ構成図。
【図５】実施例１の収差図。
【図６】実施例２の収差図。
【図７】実施例３の収差図。
【図８】実施例４の収差図。
【図９】本発明に係る撮像レンズ装置の概略光学構成を示す模式図。
【符号の説明】
ＴＬ  …撮影レンズ系（ズームレンズ系）
Ｇｒ１    …第１群
Ｇｒ２    …第２群
Ｇｒ３    …第３群
ＳＴ  …絞り
Ｇｒ４    …第４群
Ｇｒ５    …第５群
Ｇｒ６    …第６群
ＰＬ  …平行平面板
ＳＲ  …撮像素子
ＡＸ  …光軸
【図１】
2004226511.tif 000015
【図２】
2004226511.tif 000016
【図３】
2004226511.tif 000017
【図４】
2004226511.tif 000018
【図５】
2004226511.tif 000019
【図６】
2004226511.tif 000020
【図７】
2004226511.tif 000021
【図８】
2004226511.tif 000022
【図９】
2004226511.tif 000023